(57)【特許請求の範囲】
【請求項１】
隣接する２本のレーンのそれぞれを流れるパチンコ玉の通過を近接センサの原理を利用して検出するパチンコ玉通過センサであって、
前記レーンの上部にレーンの床面と対向して取り付けられるべきセンサ取付ベース部と、該センサ取付ベース部から垂下突設されて前記２本のレーンのそれぞれの途中に介在される２個のセンサヘッド部とからなる樹脂一体成形品であり、
前記２個のセンサヘッド部のそれぞれには、レーンの中心と整合するパチンコ玉通過穴を有すると共に、該パチンコ玉通過穴の周囲にはこれを取り巻くようにして、ＬＣ発振回路のインダクタンス素子となるべきコイルが埋め込まれており、
さらに  前記２個のセンサヘッドは、レーンの延在方向へ一定距離ずらせて配置されると共に、前記２個のセンサヘッドのうちで、左側センサヘッドに埋め込まれたコイルの右側巻線導体と、右側センサヘッドに埋め込まれたコイルの左側巻線導体とは、レーンの境界線上において重なり合っている、
ことを特徴とするパチンコ玉通過センサ。
【請求項２】
傾斜姿勢で支持されかつその下流側を互いに平行な複数条の仕分けリブにて幅方向へ仕切って複数列の計数レーンを形成し、その上流側にバラバラ状態で放出されたパチンコ玉を前記計数レーンのそれぞれに振り分けて流すパチンコ玉整列板と、
前記パチンコ玉整列板上に相隣接して形成された複数条の仕分けリブを、一つ置きに第１の位置と第２の位置とに交互に延在方向へ位置をずらせて切り欠くことにより形成された複数対のセンサヘッド装着部と、
前記各対をなすセンサヘッド装着部に左右のセンサヘッドのそれぞれが装着されるようにして取り付けられた前記請求項１に記載のパチンコ玉通過センサと、
を具備することを特徴とするパチンコ玉計数装置。
【請求項３】
左右のセンサヘッドの計数レーン延在方向へのずらし距離は、近接センサの相互干渉距離よりも大きいことを特徴とする請求項２に記載のパチンコ玉計数装置。
【発明の詳細な説明】
【０００１】
【発明の属する技術分野】
この発明は、例えば、ドル箱から投入されるパチンコ玉を受けて計数するパチンコ玉精算装置等への採用に好適なパチンコ玉通過センサ並びに同センサを使用したパチンコ玉計数装置の構造に係り、特に、近接センサの原理を採用してパチンコ玉の通過を検出するパチンコ玉通過センサ並びに同センサを使用したパチンコ玉計数装置に関する。
【０００２】
【従来の技術】
通常、パチンコ遊戯場にはジェットカウンター等と称される獲得パチンコ玉の精算装置が設置されている。このパチンコ玉の精算装置は、図１３に示すように、本体ケース１の上面側にパチンコ玉Ｐを投入するホッパー２が設けられており、ホッパー２内に投入されたパチンコ玉Ｐは、本体ケース１内に傾斜姿勢で支持されているパチンコ玉整列板３上に落下し、パチンコ玉整列板３の下流側の計数レーン４上を整列状態で流れ、計数レーン４の下流側に各列毎に設けられているパチンコ玉通過センサ５により通過が検出されて、パチンコ玉Ｐの出玉数がカウントされる。
【０００３】
パチンコ玉通過センサ５としては、従来からフォトセンサがよく知られている。図１４に示されるものは、遮光型フォトセンサを利用したもので、計数レーン４の下流側にセンサ基板６が上下方向に延在するように取り付けられており、このセンサ基板６には通過するパチンコ玉Ｐの上下対称位置に投光器６ａ、受光器６ｂがそれぞれ設けられている。そして、パチンコ玉Ｐが通過すれば、投光器６ａからの光が遮光されることによりパチンコ玉Ｐの通過が検出される。
【０００４】
また、図１５に示す反射型フォトセンサは、計数レーン４の下流側に、パチンコ玉Ｐの流れ方向に沿ってセンサ基板７が取り付けられ、このセンサ基板７の下面に投光器７ａ、受光器７ｂがパチンコ玉Ｐの通過方向に沿って所定間隔をあけて設けられており、センサ部をパチンコ玉Ｐが通過した際、投光器７ａからの光がパチンコ玉Ｐで反射して受光器７ｂに到達することによりパチンコ玉Ｐの通過が検出される。
【０００５】
【発明が解決しようとする課題】
このように、パチンコ玉Ｐの計数装置に使用するパチンコ玉通過センサ５として、図１４，図１５に示す従来のフォトセンサを使用した場合、遮光型、反射型、いずれにおいても投受光器６ａ，６ｂ、７ａ，７ｂに油，水蒸気，塵埃等による汚れが付着すれば致命的であるため、使用環境に制約を受け、汚れを除去する作業を頻繁に行なう必要があり、メンテナンスに手間がかかるという欠点が指摘されている。
【０００６】
また、周囲の強い照明光でも影響を受け易く、誤動作する場合があり、これを防ぐために遮光板等の配置が必要になるなど、構造が複雑かつ大型化する傾向にある。
【０００７】
さらに、図１４に示す遮光型フォトセンサを使用した場合、センサ基板６を上下方向に延在設置し、パチンコ玉Ｐ通路の上下側にそれぞれ投光器６ａ、受光器６ｂを位置させるため、上下方向に多くの設置スペースを必要とし、装置が大型化するという欠点があった。
【０００８】
一方、図１５に示す反射型のフォトセンサを使用した場合、パチンコ玉Ｐの汚れにより誤動作する可能性があり、良好な検出精度が確保できないという欠点があった。
【０００９】
なお、特開平５−２５６６０４号公報には、近接センサの原理でパチンコ玉の通過並びにその方向を検出することが可能なパチンコ玉通過センサが開示されているが、このセンサにあっても全体の形状は平板上であって、具体的な計数レーンへの適用に際するコンパクト化の要請には十分に応えてはいない。
【００１０】
この発明は、従来のパチンコ玉通過センサにおける上述の問題点に着目してなされたものであり、その目的とするところは、メンテナンスが容易で、パチンコ玉の汚れ等に影響を受けることなく、パチンコ玉の通過を精度良く検出でき、かつパチンコ玉計数装置のコンパクト化を達成できるパチンコ玉通過センサ並びにパチンコ玉計数装置を提供することにある。
【００１１】
【課題を解決するための手段】
上記目的を達成するために、本願の請求項１に記載の発明は、隣接する２本のレーンのそれぞれを流れるパチンコ玉の通過を近接センサの原理を利用して検出するパチンコ玉通過センサであって、
前記レーンの上部にレーンの床面と対向して取り付けられるべきセンサ取付ベース部と、該センサ取付ベース部から垂下突設されて前記２本のレーンのそれぞれの途中に介在される２個のセンサヘッド部とからなる樹脂一体成形品であり、
前記２個のセンサヘッド部のそれぞれには、レーンの中心と整合するパチンコ玉通過穴を有すると共に、該パチンコ玉通過穴の周囲にはこれを取り巻くようにして、ＬＣ発振回路のインダクタンス素子となるべきコイルが埋め込まれており、
さらに
前記２個のセンサヘッドは、レーンの延在方向へ一定距離ずらせて配置されると共に、前記２個のセンサヘッドのうちで、左側センサヘッドに埋め込まれたコイルの右側巻線導体と、右側センサヘッドに埋め込まれたコイルの左側巻線導体とは、レーンの境界線上において重なり合っている、
ことを特徴とする。
【００１２】
従って、請求項１に記載の発明によれば、２列のレーンのそれぞれを流れるパチンコ玉がセンサ取付ベース部から突設されている２個のセンサヘッド部のそれぞれに設けられているパチンコ玉通過穴を通過する際、各センサヘッド部のコイルのインダクタンスが変化して、パチンコ玉の通過を検出できるため、センサ部の汚れ等に影響されず、メンテナンスに手間がかからないとともに、パチンコ玉に汚れが付着していても誤動作することがなく、２列のレーンのそれぞれを流れるパチンコ玉の通過を精度良く検出できる。
【００１３】
また、２列のレーンを跨ぐようにして取り付けられるセンサ取付ベース部に２個のセンサヘッド部が突設され、各センサヘッド部はセンサ取付ベース部を共用するという構成であるため、よりコンパクトな構造となる。
【００１４】
さらに、２個のセンサヘッド部に各々埋設されている一対のコイルは、一方側のコイルの右側巻線導体と他方側のコイルの左側巻線導体とが計数レーンの境界線上に位置しているため、仕分けリブの厚みを薄くできる。
【００１５】
この出願の請求項２に記載の発明は、傾斜姿勢で支持されかつその下流側を互いに平行な複数条の仕分けリブにて幅方向へ仕切って複数列の計数レーンを形成し、その上流側にバラバラ状態で放出されたパチンコ玉を前記計数レーンのそれぞれに振り分けて流すパチンコ玉整列板と、
前記パチンコ玉整列板上に相隣接して形成された複数条の仕分けリブを、一つ置きに第１の位置と第２の位置とに交互に延在方向へ位置をずらせて切り欠くことにより形成された複数対のセンサヘッド装着部と、
前記各対をなすセンサヘッド装着部に左右のセンサヘッドのそれぞれが装着されるようにして取り付けられた前記請求項１に記載のパチンコ玉通過センサと、
を具備することを特徴とする。
【００１６】
従って、この請求項２に記載の発明によれば、パチンコ玉整列板の下流側に位置する計数レーンに取り付けられるパチンコ玉通過センサの幅寸法が短縮化でき、それに伴ない、仕分けリブの厚みが薄くできるため、計数レーンの全体幅を短縮化でき、パチンコ玉計数装置のコンパクト化を達成できる。
【００１７】
さらに、仕分けリブの厚みを薄く設定できるため、仕分けリブ上流側での玉詰りがなく、パチンコ玉整列板の上流から計数レーンの下流にかけて直線的にパチンコ玉を流すことができ、円滑なパチンコ玉流れを促進でき、パチンコ玉のカウント処理を迅速に行なえる。
【００１８】
この出願の請求項３に記載の発明は、左右のセンサヘッドの計数レーン延在方向へのずらし距離は、近接センサの相互干渉距離よりも大きいことを特徴とする。
【００１９】
この請求項３に記載の発明によれば、隣接するセンサヘッド部の延在方向へのずらし距離は、近接センサの相互干渉距離よりも大きく設定されているため、隣接する計数レーンにパチンコ玉が通過しても、隣接するコイルのインダクタンス変化に相互干渉がなく、隣接レーンの玉通過による誤動作が生じない。
【００２０】
【発明の実施の形態】
以下、本発明に係るパチンコ玉通過センサ並びにパチンコ玉計数装置の実施の形態を、添付図面を参照しながら詳細に説明する。
【００２１】
図１は本発明に係るパチンコ玉計数装置の概略構成を示す説明図、図２（ａ），（ｂ）は本発明に係るパチンコ玉通過センサの第１実施形態を示す斜視図、図３並びに図４は図２に示すパチンコ玉通過センサをパチンコ玉整列板に取り付けた状態を示す平面図並びに断面図、図５並びに図６は本発明に係るパチンコ玉通過センサの第２実施形態を示す斜視図、図７（ａ），（ｂ）は同パチンコ玉通過センサの平面図並びに仕分けリブとの関係を示す説明図、図８並びに図９は図５並びに図６に示すパチンコ玉通過センサを設置するパチンコ玉整列板を示す平面図並びに斜視図、図１０，図１１は図５並びに図６に示すパチンコ玉通過センサをパチンコ玉整列板に取り付けた状態を示す平面図並びに断面図、図１２はガイドリブによる玉詰まり防止作用を説明する図である。
【００２２】
まず、図１に基づいて本発明に係るパチンコ玉計数装置の概略構成について説明する。図１において、パチンコ玉計数装置１０は、遊戯場での遊戯者が持ち玉を計数する際に使用するジェットカウンターと称されるもので、このパチンコ玉計数装置１０は、本体ケース１１の上面側にパチンコ玉Ｐを投入するホッパー１２が設けられており、ホッパー１２の下部側には投入されたパチンコ玉Ｐが下流側に流れるように傾斜を設けたパチンコ玉整列板２０が本体ケース１１内に配設されている。
【００２３】
そして、上記パチンコ玉整列板２０の下流には、パチンコ玉Ｐを複数列に整列させて搬送する計数レーン２１が設けられているとともに、この計数レーン２１の下流側に各列毎のパチンコ玉Ｐの通過を検出するパチンコ玉通過センサ３０が設置されている。尚、パチンコ玉通過センサ３０の上流側にはパチンコ玉の飛び跳ねを規制して、計数レーン２１上に整列させるための跳上げ規制プレート１３が幅方向に沿って設けられている。
【００２４】
従って、遊戯者は持ち玉をパチンコ玉計数装置１０のホッパー１２内に投入すれば、ホッパー１２の傾斜面１２ａに沿ってパチンコ玉Ｐが流れ、開口１２ｂからパチンコ玉整列板２０上に落下し、パチンコ玉整列板２０の下流側の計数レーン２１上で各列毎に整列された状態で矢印方向にパチンコ玉Ｐが流れ、パチンコ玉通過センサ３０を通過した後、排出通路１４から排出される。そして、このとき、パチンコ玉通過センサ３０での検出信号が図示しないカウンタに入力され、カウントした数値が表示部１５に表示される。
【００２５】
ところで、本発明は、近接センサの原理を利用したパチンコ玉通過センサ３０の構造並びにそれを使用したパチンコ玉計数装置１０を提供することを課題としている。
【００２６】
まず、本発明に係るパチンコ玉通過センサの第１実施形態について図２乃至図４を基に説明すると、図２に示すように、パチンコ玉通過センサ３０は、計数レーン２１の上部に計数レーン２１の床面と対向して平行に取り付けられるべきセンサ取付ベース部３１と、該センサ取付ベース部３１から垂下突設されて計数レーン２１の途中に介在されるセンサヘッド部３２とからなる樹脂一体成形品であり、ＰＰ樹脂、ＡＢＳ樹脂等、合成樹脂の射出成形体から構成されている。
【００２７】
さらに、上記センサヘッド部３２には、計数レーン２１のパチンコ玉通路と整合するようにパチンコ玉通過穴３３が開設されており、このパチンコ玉通過穴３３の周囲には、これを取り巻くように発振回路のインダクタンス素子となるコイル３４が埋め込まれている。
【００２８】
また、センサ取付ベース部３１内には、コイル３４の端子を外部へ導出するための導体部分が埋め込まれており、この導体部分は例えばセンサ取付ベース部３１におけるセンサヘッド部３２の反対他端に設けた凸部３５から図示しない外部のハーネスに接続される。尚、センサ取付ベース部３１のほぼ中央には、計数レーン２１に取り付けるための取付孔３６が設けられており、センサ取付ベース部３１の内面には、パチンコ玉の流れを円滑にするために、パチンコ玉通過穴３３に向けて傾斜するガイドリブ３７が設けられている。
【００２９】
次いで、上記パチンコ玉通過センサ３０のパチンコ玉整列板２０への取付構造について図３，図４を基に説明すると、パチンコ玉整列板２０は、その下流側において互いに平行な複数条の仕分けリブ２２により複数列（本実施形態では８列）の計数レーン２１が区画形成され、図４に示すようにパチンコ玉Ｐの流れを促進させるようにパチンコ玉整列板２０は傾斜状に設定されている。
【００３０】
そして、上記パチンコ玉通過センサ３０は、８列の計数レーン２１に対応して８個のパチンコ玉通過センサ３０が計数レーン２１の下流側に取り付けられているが、パチンコ玉Ｐの径に比べパチンコ玉通過センサ３０の幅寸法が長寸であり、８列にパチンコ玉通過センサ３０を並設すれば、計数レーン２１の下流側の全体幅が広くなり、外側列を流れるパチンコ玉Ｐは横方向に傾斜状に流れることになる。
【００３１】
さらに、奇数列の計数レーン２１ａに取り付けられるパチンコ玉通過センサ３０と偶数列の計数レーン２１ｂに設置されるパチンコ玉通過センサ３０とは隣接するコイル３４のインダクタンス値に相互干渉が生じないように、パチンコ玉Ｐの流れ方向に沿って図３中符号ａで示す寸法ずらせた位置に設置されるため、奇数列の計数レーン２１ａには、下流端にパチンコ玉通過センサ３０のセンサヘッド部３２の下端を収容する切欠き２３ａが形成されているとともに、偶数列の計数レーン２１ｂにはそれより上流側にａ寸法ずらせた位置にセンサヘッド部３２の下端を収容する開口２３ｂが形成されている。
【００３２】
次に、パチンコ玉通過センサ３０の使用形態について説明すると、図３，図４では図示しないホッパー１２に投入されたパチンコ玉Ｐは、整列板２０に流れ込み、この整列板２０の傾斜により図４中矢印で示す方向に搬送されるが、その際、仕分けリブ２２により各計数レーン２１毎に区分けされ整列状態に規制されて計数レーン２１の下流側に搬送される。そして、各計数レーン２１毎でパチンコ玉通過センサ３０のパチンコ玉通過穴３３をパチンコ玉Ｐが通過する際、パチンコ玉通過穴３３を取り巻くようにセンサヘッド部３２内に埋め込まれているコイル３４のインダクタンス値が変化することにより、パチンコ玉Ｐの通過を検出し、トータルカウントが図１に示すパチンコ玉計数装置１０の表示部１５で表示されることになる。
【００３３】
従って、従来のフォトセンサタイプのパチンコ玉通過センサのように、投受光器の汚れを頻繁に清掃する必要がないため、メンテナンスに手間がかからず、管理が容易なものとなる。
【００３４】
また、従来のフォトセンサのように、周囲の照明光や太陽光からの悪影響を排除するための遮光板等の付帯設備も必要でなく、センサヘッド部３２が計数レーン２１に臨むようにセンサ取付ベース部３１を計数レーン２１の床面と平行に取り付けるため、設置スペースとしては、計数レーン２１上に取り付けられるセンサ取付部３１の厚みだけでよく、従来のフォトセンサに比べ、パチンコ玉計数装置１０のコンパクト化が可能となることから、パチンコ玉計数装置１０の設置スペースが少なくてすみ、省スペース化に貢献できる。
【００３５】
さらに、反射型のフォトセンサに比べ、パチンコ玉Ｐの汚れにより誤動作することがなく、パチンコ玉Ｐの通過を精度良く検出でき、パチンコ玉計数装置１０の信頼性を高めることができるという有利さがある。
【００３６】
次いで、図５乃至図１２は、本発明に係るパチンコ玉通過センサの第２実施形態を示すもので、図５に示すように、本発明に係る第２実施形態におけるパチンコ玉通過センサ４０の基本原理は図２に示すパチンコ玉通過センサ３０と同一であり、相違する点は、センサ取付ベース部４１に一対のセンサヘッド部４２ａ，４２ｂを設けることにより、コンパクト化を図るとともに、実装作業性を向上させた点にある。
【００３７】
すなわち、このパチンコ玉通過センサ４０は、２本の計数レーン２１，２１に対応する幅を有しかつ前記計数レーン２１の上部に計数レーン２１の床面と対向して平行に取り付けられるべきセンサ取付ベース部４１と、該センサ取付ベース部４１から垂下突設されて前記２本の計数レーンのそれぞれの途中に介在される２個のセンサヘッド部４２ａ，４２ｂとを備える樹脂一体成形品から構成されている。
【００３８】
そして、上記個々のセンサヘッド部４２ａ，４２ｂには、パチンコ玉Ｐを通過させるパチンコ玉通過穴４３ａ，４３ｂが開設されているとともに、このパチンコ玉通過穴４３ａ，４３ｂの周囲を取り巻くように、ＬＣ発振回路のインダクタンス素子となるコイル４４ａ，４４ｂが埋め込まれている。
【００３９】
また、センサ取付ベース部４１内には各コイル４４の端子を外部へ導出するための導体部分が埋め込まれており、この導体部分は、例えば取付ベース部４１の外面からコネクタ等を通して外部ハーネスと接続され、センサ取付ベース部４１には取付孔４６が開設されているとともに、センサ取付ベース部４１の一方側縁には、隣接するセンサ取付ベース部４１のコーナー部と嵌合する段部４７が設定されている。
【００４０】
さらに、図６は上記パチンコ玉通過センサ４０を玉通路側から見た斜視図であり、センサ取付ベース部４１の内面には、計数レーン２１に対応して、パチンコ玉通過穴４３ａ，４３ｂに向けて傾斜するガイドリブ４８ａ，４８ｂが設けられており、円滑な玉流れが期待できる構成となっている。
【００４１】
ところで、上記２個のセンサヘッド部４２ａ，４２ｂは、各計数レーン２１の延在方向、すなわちパチンコ玉Ｐの流れ方向に沿って一定距離、図７中符号ｂ寸法ずらせて配置されており、左側センサヘッド部４２ｂに埋め込まれたコイル４４ｂの右側巻線導体４４ｂＲと、右側センサヘッド部４２ａに埋め込まれたコイル４４ａの左側巻線導体４４ａＬとは計数レーン２１の境界線、すなわち仕分けリブ２２上において重なり合うように設定されている（図７（ｂ）参照）。
【００４２】
一方、上記パチンコ玉通過センサ４０を装着するパチンコ玉整列板２０は、図８，図９に示すように、複数条の仕分けリブ２２によりパチンコ玉整列板２０の下流側には複数列（８列）の計数レーン２１が区画形成されており、かつ、パチンコ玉通過センサ４０のセンサヘッド部４２ａ，４２ｂと対応するように奇数列の計数レーン２１ａの下流端側に切欠き２４ａが開設されているとともに、偶数列の計数レーン２１ｂにはそれより上流側にｂ寸法ずらせた位置に開口２４ｂが形成されている。
【００４３】
そして、パチンコ玉通過センサ４０の各センサヘッド４２ａ，４２ｂがセンサヘッド装着部となる切欠き２４ａ，開口２４ｂ内に収容されるようにパチンコ玉通過センサ４０が計数レーン２１の下流側に装着されている。
【００４４】
次に、第２実施形態におけるパチンコ玉通過センサ４０の使用形態について説明すると、図１０では図示しない計数装置１０のホッパー１２に投入されたパチンコ玉Ｐは、パチンコ玉整列板２０上に落下し、パチンコ玉整列板２０の傾斜により、図１１中矢印方向に流れ、その際、仕分けリブ２２により各列毎に隔てられ、整列状態で各計数レーン２１上を下流側に流れていき、奇数列の計数レーン２１ａ上を流れるパチンコ玉Ｐは、パチンコ玉通過センサ４０のセンサヘッド部４２ａのパチンコ玉通過穴４３ａを通過し、その際、コイル４４ａのインダクタンス変化によりパチンコ玉Ｐの通過を検出する。
【００４５】
一方、偶数列の計数レーン２１ｂを流れるパチンコ玉Ｐは、手前側に位置するセンサヘッド部４２ｂのパチンコ玉通過穴４３ａを通過し、その際、コイル４４ｂのインダクタンス変化によりパチンコ玉Ｐの通過が検出されることになる。
【００４６】
従って、第２実施形態のパチンコ玉通過センサ４０においても、第１実施形態のパチンコ玉通過センサ３０と同様に、近接センサの原理を利用したものであるため、フォトセンサのように、投受光器を清掃する必要がなく、メンテナンスが非常に容易なものとなり、かつパチンコ玉Ｐが汚れていても影響を受けることなく、パチンコ玉Ｐの通過を精度良く検出できるという有利さがある。
【００４７】
さらに、第１実施形態のパチンコ玉通過センサ３０に比べ、２個のセンサヘッド部４２ａ，４２ｂを一体化したため、よりコンパクトな構成となり、省スペース化に優れるとともに、内部の導体基板部分も共用化でき、実装時間が短縮できるとともに、組立てコストやハーネス代も節約できる等の種々の有利さを備え、かつ、隣接する２列の計数レーン２１に股がってセンサ取付ベース部４１を取り付けるため、取付作業性も優れたものとなる。
【００４８】
また、図６に示すように、左側センサヘッド４２ｂに埋め込まれたコイル４４ｂの右側巻線導体４４ｂＲと右側センサヘッド部４２ａに埋め込まれたコイル４４ａの左側巻線導体４４ａＬとが仕分けリブ２２上において重なり合っているため、仕分けリブ２２を共用化することができ、さらに、隣接するパチンコ玉通過センサ４０は段部４７により幅方向寸法を短縮化できるため、仕分けリブ２２の厚みを薄くでき、計数レーン２１の全体幅を縮小化できることから、パチンコ玉計数装置１０のさらなるコンパクト化が達成でき、遊戯場の手狭なスペース内に有効に適用できるという利点がある。
【００４９】
加えて、仕分けリブ２２を薄く規制できるため、パチンコ玉Ｐの流れは外側列の計数レーン２１においても横方向に傾斜することがなく、直線状となり玉詰りがなく、パチンコ玉Ｐが計数レーン２１上をスムーズに流れ、迅速なカウント処理が可能になるとともに、パチンコ玉Ｐと仕切りリブ２２とは接触しにくくなり、仕分けリブ２２の摩耗も抑えることができる。
【００５０】
さらに、パチンコ玉通過センサ４０においては、センサ取付ベース部４１の内面にガイドリブ４８ａ，４８ｂが各計数レーン２１に対応して設けられているため、例えばガイドリブ４８ａ，４８ｂがない場合には、図１２（ａ）に示すように、パチンコ玉通過穴４３ａ手前でパチンコ玉Ｐが上方に跳ね上がり、玉詰まりが発生する可能性があるものの、図１２（ｂ）に示すように、ガイドリブ４８ａ，４８ｂにより、パチンコ玉が上方に跳ね上がっても、パチンコ玉Ｐは円滑にパチンコ玉通過穴４３ａ，４３ｂ内にガイドされ、良好な玉流れが期待できる。
【００５１】
【発明の効果】
以上の説明で明らかなように、本発明によれば、パチンコ玉の通過を近接センサの原理を利用して検出するパチンコ玉通過センサを採用することにより、メンテナンスが容易に行なえ、かつパチンコ計数装置をコンパクト化することができ、パチンコ玉の汚れ等の性状に影響を受けず、パチンコ玉の通過を精度良く検出できるパチンコ玉通過センサ並びにパチンコ玉計数装置を提供できるという効果を有する。
【図面の簡単な説明】
【図１】  本発明に係るパチンコ玉計数装置の一実施形態を示す構成説明図である。
【図２】  本発明に係るパチンコ玉通過センサの第１実施形態を示すもので、（ａ）は外面側から見た斜視図、（ｂ）は内面側から見た斜視図である。
【図３】  図２に示すパチンコ玉通過センサをパチンコ玉整列板に取り付けた状態を示す平面図である。
【図４】  図２に示すパチンコ玉通過センサをパチンコ玉整列板に取り付けた状態を示す側面図である。
【図５】  本発明に係るパチンコ玉通過センサの第２実施形態を示す斜視図である。
【図６】  図５に示すパチンコ玉通過センサを玉通路側から見た斜視図である。
【図７】  図５に示すパチンコ玉通過センサの（ａ）平面図、（ｂ）仕分けリブとの関係を示す説明図である。
【図８】  本発明に係るパチンコ玉計数装置におけるパチンコ玉整列板の一実施形態を示す平面図である。
【図９】  図８に示すパチンコ玉整列板の斜視図である。
【図１０】  図５に示すパチンコ玉通過センサをパチンコ玉整列板に取り付けた状態を示す平面図である。
【図１１】  図５に示すパチンコ玉通過センサをパチンコ玉整列板に取り付けた状態を示す側面図である。
【図１２】  図５に示すパチンコ玉通過センサにおけるガイドリブの作用を示すもので、（ａ）は玉詰まり状態、（ｂ）は玉流れ状態をそれぞれ示す説明図である。
【図１３】  従来のパチンコ玉計数装置の構成を示す概要図である。
【図１４】  遮光型フォトセンサを使用した従来のパチンコ玉通過を示す構成説明図である。
【図１５】  反射型フォトセンサを使用した従来のパチンコ玉通過センサを示す構成説明図である。
【符号の説明】
１０  パチンコ玉計数装置
２０  パチンコ玉整列板
２１  計数レーン
２２  仕分けリブ
２３ａ，２３ｂ  センサヘッド装着部
３０  パチンコ玉通過センサ
３１  センサ取付ベース部
３２  センサヘッド部
３３  パチンコ玉通過穴
３４  コイル
３７  ガイドリブ
４０  パチンコ玉通過センサ
４１  センサ取付ベース部
４２ａ，４２ｂ  センサヘッド部
４３ａ，４３ｂ  パチンコ玉通過穴
４４ａ，４４ｂ  コイル
４８ａ，４８ｂ  ガイドリブ
Ｐ  パチンコ玉
【図１】
0003904044.tif 000002
【図２】
0003904044.tif 000003
【図３】
0003904044.tif 000004
【図４】
0003904044.tif 000005
【図５】
0003904044.tif 000006
【図６】
0003904044.tif 000007
【図７】
0003904044.tif 000008
【図８】
0003904044.tif 000009
【図９】
0003904044.tif 000010
【図１０】
0003904044.tif 000011
【図１１】
0003904044.tif 000012
【図１２】
0003904044.tif 000013
【図１３】
0003904044.tif 000014
【図１４】
0003904044.tif 000015
【図１５】
0003904044.tif 000016